(57)【要約】【課題】  接触位置検出手段、例えば、タッチパネルが搭載された表示装置において、表示装置の向きが変更されても、タッチパネルの操作性が悪化しないようにする。【解決手段】  画像表示面１０を備えた表示手段７、８と、表示手段の画像表示面上に設けられ、外部から接触された位置を検出するタッチパネル２、１１と、表示手段の向きを検出する向き検出手段５と、向き検出手段により検出された検出結果に応じて、表示手段の画像表示面上に表示する画像を反転又は回転して表示するとともに、タッチパネルの基準点Ｒを変更するマイクロコンピュータ１７とを有する。【選択図】図５
2007188525.tif 000002
【特許請求の範囲】
【請求項１】
画像表示面を備えた表示手段と、
上記表示手段の上記画像表示面上に設けられ、外部から接触された位置を検出する接触位置検出手段と、
上記表示手段の向きを検出する向き検出手段と、
上記向き検出手段により検出された検出結果に応じて、上記表示手段の画像表示面上に表示する画像を反転又は回転して表示するとともに、上記接触位置検出手段の基準点を変更する制御手段とを有する
ことを特徴とする表示装置。
【請求項２】
上記表示手段は、該表示装置本体に対して反転又は回転可能である
ことを特徴とする請求項１に記載の表示装置。
【請求項３】
上記表示手段は、該表示装置の水平軸及び垂直軸の２つの軸方向に対して回転可能である
ことを特徴とする請求項１に記載の表示装置。
【請求項４】
上記接触位置検出手段における座標位置と所定の処理との対応関係が設定されたメモリ手段とをさらに備え、
上記制御手段は、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにした
ことを特徴とする表示装置。
【請求項５】
画像を撮像する撮像手段と、
上記撮像手段により撮像された画像を表示する画像表示面を備えるとともに、該撮像装置に対して回転可能な表示手段と、
上記表示手段の上記画像表示面上に設けられたタッチパネルと、
上記表示手段の回転の状態を検出する回転状態検出手段と、
上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有する
ことを特徴とする撮像装置。
【請求項６】
表示手段は画像表示面を備え、
上記表示手段の上記画像表示面上に設けられた接触位置検出手段によって外部から接触された位置を検出し、
上記表示手段の向きを向き検出手段によって検出し、
上記向き検出手段により検出された検出結果に応じて、上記表示手段の画像表示面上に表示する画像を反転又は回転して表示するとともに、上記接触位置検出手段の基準点を変更する制御手段とを有する
ことを特徴とする表示装置における表示方法。
【請求項７】
撮像手段によって画像を撮像し、
上記撮像手段により撮像された画像を画像表示面によって表示するとともに、表示手段が該撮像装置に対して回転可能にされ、
上記表示手段の上記画像表示面上にタッチパネルが設けられ、
上記表示手段の回転の状態を回転状態検出手段によって検出し、
上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有する
ことを特徴とする撮像装置における撮像方法。
【発明の詳細な説明】
【技術分野】
【０００１】
本発明は、画像表示面に接触位置検出手段、例えば、タッチパネルが搭載され、画像表示面の向きを変えて使用される表示装置などにおいて、タッチパネルの操作性を向上させる技術などに関する。
【背景技術】
【０００２】
表示装置、例えば、ビデオカメラやスチルカメラに搭載された外部表示モニターにおいて、そのカメラ本体に対して向きを変えて使用されるものがある。
【０００３】
これは、当該外部表示モニターを、エレクトロビューファインダー（以下、ＥＶＦ）の代わりとして撮影時に使用する場合（通常撮影モード）、当該ビデオカメラを記録／再生装置として用い既に撮影記録したものを再生して見る場合（ＶＴＲモード）、操作者自らが被写体となりカメラの前方に立って外部表示モニターを見ながら撮影する場合（ミラーモード）等、様々な状況において用いることを可能にするためである。
【０００４】
また、表示装置の画像表面に透明でその下に表示される画像が透けて見えるスイッチ、いわゆるタッチパネルを搭載したものがある。かかるタッチパネルは、画像表示面に２次元的な画像として表示された操作用表示画像の上を直接、指などで触れることにより、所定の信号を出力できるようになっている。尚、タッチパネルは公知のものなので、その動作原理等の詳しい説明は省略する。そして、このようなタッチパネルの操作として、ビデオカメラの場合、例えば、テープ走行系に関するコマンド、「停止」、「巻戻し」、「再生」、「早送り」等や撮影モードに関するコマンド、「フォーカス」、「シャッタースピード」、「逆光補正」、「ホワイトバランス」等が行えるようになっている。
【発明の開示】
【発明が解決しようとする課題】
【０００５】
ところで、上記したようなタッチパネルを搭載した表示装置などにあっては、カメラ本体に対して外部表示モニターの向きを変えたときに、タッチパネルの操作ボタン表示の位置が外部表示モニターの向きの変更の前後の状態において異なってしまい、操作性が悪いという問題がある。
【０００６】
即ち、タッチパネルの操作部位は表示装置の向きが変更されると、それに伴いタッチパネルにおける座標位置が変わってしまい、表示装置を正面視している操作者にとっては、見た目の上下、左右の方向は変らないため、向きの変更前後によりタッチパネルの操作部位の位置が変化してしまうからである。
【０００７】
具体的には、例えば、上記外部表示モニター付ビデオカメラで撮影モードにしたときその状態の表示装置を正面視した状態における左下部位は、ＶＴＲモードにすると（上下左右反転）その状態の表示装置を正面視したときには右上部位になってしまっており、操作者は撮影モードにおける左下部位に配設されたタッチパネル上の所定の操作部位（操作スイッチ）と同じ操作をしようとするとき、表示装置が上下左右反転されたことを考慮して、右上部位に配設された操作部位（操作スイッチ）に触れてその操作をしなければならないことになり、操作性が非常に悪いという問題があった。これは、表示装置の向きが変更されても操作者は当該表示装置を正面視した状態を基準としてタッチパネルの操作部位（操作スイッチ）の位置を判断するからである。
【０００８】
そこで、本発明は、上記した事情に鑑み、接触位置検出手段、例えば、タッチパネルが搭載された表示装置において、表示装置の向きが変更されても、タッチパネルの操作性が悪化しないようにすることなどを課題とする。
【課題を解決するための手段】
【０００９】
本発明表示装置は、上記した課題を解決するために、画像表示面を備えた表示手段と、上記表示手段の上記画像表示面上に設けられ、外部から接触された位置を検出する接触位置検出手段と、上記表示手段の向きを検出する向き検出手段と、上記向き検出手段により検出された検出結果に応じて、上記表示手段の画像表示面上に表示する画像を反転又は回転して表示するとともに、上記接触位置検出手段の基準点を変更する制御手段とを有するものである。あるいは、接触位置検出手段における座標位置と所定の処理との対応関係が設定されたメモリ手段とをさらに備え、上記制御手段は、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたものである。
【００１０】
また、本発明撮像装置は、画像を撮像する撮像手段と、上記撮像手段により撮像された画像を表示する画像表示面を備えるとともに、該撮像装置に対して回転可能な表示手段と、上記表示手段の上記画像表示面上に設けられたタッチパネルと、上記表示手段の回転の状態を検出する回転状態検出手段と、上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有するものである。
【００１１】
また、本発明表示装置における表示方法は、表示手段は画像表示面を備え、上記表示手段の上記画像表示面上に設けられた接触位置検出手段によって外部から接触された位置を検出し、上記表示手段の向きを向き検出手段によって検出し、上記向き検出手段により検出された検出結果に応じて、上記表示手段の画像表示面上に表示する画像を反転又は回転して表示するとともに、上記接触位置検出手段の基準点を変更する制御手段とを有するものである。
【００１２】
また、本発明撮像装置における撮像方法は、撮像手段によって画像を撮像し、上記撮像手段により撮像された画像を画像表示面によって表示するとともに、表示手段が該撮像装置に対して回転可能にされ、上記表示手段の上記画像表示面上にタッチパネルが設けられ、上記表示手段の回転の状態を回転状態検出手段によって検出し、上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有するものである。
【００１３】
従って、本発明にあっては、表示装置がどのような向きに変更されても、常に、その状態の表示装置の向きが検出されるので、表示装置の向きの変更にかかわらず、操作者は自分が見ている状態を基準として操作することができ、操作性の向上を図ることができる。
【発明の効果】
【００１４】
本発明表示装置は、画像表示面を備えた表示手段と、上記表示手段の上記画像表示面上に設けられ、外部から接触された位置を検出する接触位置検出手段と、上記表示手段の向きを検出する向き検出手段と、上記向き検出手段により検出された検出結果に応じて、上記表示手段の画像表示面上に表示する画像を反転又は回転して表示するとともに、上記接触位置検出手段の基準点を変更する制御手段とを有するものである。あるいは、接触位置検出手段における座標位置と所定の処理との対応関係が設定されたメモリ手段とをさらに備え、上記制御手段は、上記接触位置検出手段の所定の操作部位が接触されたことによる出力信号と上記向き検出手段による検出信号とにより接触された操作部位の座標変換を行なうとともに、座標変換された操作部位の座標位置に対応した所定の処理を行なうようにしたことを特徴とする。
【００１５】
また、本発明撮像装置は、画像を撮像する撮像手段と、上記撮像手段により撮像された画像を表示する画像表示面を備えるとともに、該撮像装置に対して回転可能な表示手段と、上記表示手段の上記画像表示面上に設けられたタッチパネルと、上記表示手段の回転の状態を検出する回転状態検出手段と、上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有することを特徴とする。
【００１６】
また、本発明表示装置における表示方法は、表示手段は画像表示面を備え、上記表示手段の上記画像表示面上に設けられた接触位置検出手段によって外部から接触された位置を検出し、上記表示手段の向きを向き検出手段によって検出し、上記向き検出手段により検出された検出結果に応じて、上記表示手段の画像表示面上に表示する画像を反転又は回転して表示するとともに、上記接触位置検出手段の基準点を変更する制御手段とを有することを特徴とする。
【００１７】
また、本発明撮像装置における撮像方法は、撮像手段によって画像を撮像し、上記撮像手段により撮像された画像を画像表示面によって表示するとともに、表示手段が該撮像装置に対して回転可能にされ、上記表示手段の上記画像表示面上にタッチパネルが設けられ、上記表示手段の回転の状態を回転状態検出手段によって検出し、上記回転状態検出手段により検出された上記表示手段の回転の状態に応じて、上記表示手段の画像表示面上に表示する画像を反転又は回転して表示するとともに、上記接触位置検出手段の基準点を変更する制御手段とを有することを特徴とする。
【００１８】
従って、本発明にあっては、表示装置がどのような向きに変更されても、常に、その状態の表示装置の向きが検出されるので、表示装置の向きの変更にかかわらず、操作者は自分が見ている状態を基準として操作することができ、操作性の向上を図ることが可能になる。
【発明を実施するための最良の形態】
【００１９】
以下に、本発明を実施するための最良の形態について、添付図面を参照して説明する。
【００２０】
表示装置１は、図１乃至図４（図２を除く。）に示すように、水平方向に長い矩形状をしており、その画面上には、接触位置検出手段としてのタッチパネル２が搭載されている。
【００２１】
タッチパネル２は、所定の向きにおける上辺と下辺との間に電圧が印加され、また、右辺と左辺との間に電圧が印加されていて、タッチパネル２の任意の部位（以下、「操作部位」という。）３mnに触れたときに横軸（Ｘ軸）方向及び縦軸（Ｙ軸）方向のそれぞれの出力電圧（Ｘ_Ａ/Ｄ値、Ｙ_Ａ/Ｄ値）が得られ、これに基づきタッチパネル２上のどの操作部位３mnがタッチされたか（入力されたか）を特定できるようになっている。尚、操作部位の符号「３」についての添字「mn」はタッチパネル２の出力電圧の高低に対応させて付記したもので、例えば、後述する基準向きの状態で左上部位を「44」と表示する（図１参照）。
【００２２】
即ち、図１で示す向きの表示装置１を基準（この向きを「基準向き」という。）とした場合、この基準向きにおいて、左上部位３44をタッチパネル２の各操作部位３mnの座標上の基準点Ｑとして、該基準点Ｑに触れたときに出力される出力電圧は横（Ｘ）方向出力、縦（Ｙ）方向出力ともに、最大値（Ｘ_Ａ/Ｄ値ｍａｘ、Ｙ_Ａ/Ｄ値ｍａｘ）が出力されるようになっている。尚、横（Ｘ）方向出力、縦（Ｙ）方向出力の出力電圧は、その最大値（Ｘ_Ａ/Ｄ値ｍａｘ、Ｙ_Ａ/Ｄ値ｍａｘ）及びその最小値（Ｘ_Ａ/Ｄ値ｍｉｎ、Ｙ_Ａ/Ｄ値ｍｉｎ）が予めデータとして用意されている。
【００２３】
そして、別の操作部位３mnの入力があった場合（タッチされた場合）、その別の操作部位３mnにおけるタッチパネル２上の位置が、その出力電圧（Ｘ_Ａ/Ｄ値、Ｙ_Ａ/Ｄ値）と上記基準点Ｑの出力電圧（Ｘ_Ａ/Ｄ値ｍａｘ、Ｙ_Ａ/Ｄ値ｍａｘ）とのＸ方向及びＹ方向のそれぞれの差分を算出することにより特定される。
【００２４】
具体的には、１メモリ分のＡ/Ｄ値の変化量をＸ軸方向、Ｙ軸方向それぞれＡ/Ｄ値Ｘ、Ａ/Ｄ値Ｙとしたとき、タッチパネル２で入力された操作部位３mnの座標Ｐ（ｘ、ｙ）は、Ｐx（Ｘ軸方向の座標）＝｜Ｘ_Ａ/Ｄ値−Ｘ_Ａ/Ｄ値ｍａｘ｜／Ａ/Ｄ値ＸＰy（Ｙ軸方向の座標）＝｜Ｙ_Ａ/Ｄ値−Ｙ_Ａ/Ｄ値ｍａｘ｜／Ａ/Ｄ値Ｙで求められる。尚、１メモリ分のＡ/Ｄ値の変化量は上記出力電圧の最大値（Ｘ_Ａ/Ｄ値ｍａｘ、Ｙ_Ａ/Ｄ値ｍａｘ）と最小値（Ｘ_Ａ/Ｄ値ｍｉｎ、Ｙ_Ａ/Ｄ値ｍｉｎ）との間の電圧差をメモリ数で除算することにより求められる。
【００２５】
一方、当該表示装置１はその向きに拘らず、その変更後の向きを基準として決定された座標位置Ｐxyと所定の処理（操作）との関係が割り当てたメモリ手段（テーブル）４が設けられている。尚、座標位置の符号「Ｐ」についての添字「xy」は正面視した状態の表示装置１の絶対的な２次座標に対応させて付記したもので、例えば、左下部位は「11」と表示する。
【００２６】
具体的には、テーブル４には、タッチパネル２を正面視した状態における２次座標上の座標位置Ｐxyと所定の処理内容とが対応されており、正面視したタッチパネル２の左下部位Ｐ11をタッチすると「Ａ」という処理が為され、左下部位Ｐ11の右隣りの部位Ｐ21をタッチすると「Ｂ」という処理が為され、更に右隣りの部位Ｐ31をタッチすると「Ｃ」という処理が為され、右下部位Ｐ41をタッチすると「Ｄ」という処理が為されるようになっている（図２参照）。
【００２７】
このような座標位置Ｐxyはタッチパネル２を正面視した状態における絶対的な２次座標上の位置であり、よって、タッチパネル２の向きが変更されても、その向きにおけるタッチパネル２の左下部位は「Ｐ11」、その右隣りの部位は「Ｐ21」、更にその右隣りの部位は「Ｐ31」、右下部位は「Ｐ41」になっている。
【００２８】
これにより、例えば、上記基準向きの表示装置１において入力された操作部位３mnが「左下部位Ｐ11」であった場合には、上記テーブル４と照らし合わせて対応する処理（操作）「Ａ」が為される。
【００２９】
そして、このような表示装置１は、その向きが変更されて使用される場合があり、表示装置１の向きは向き検出手段５により、３次元軸Ｘ、Ｙ、Ｚを中心にそれぞれ回転されてどのような向きになっているかが検出される。
【００３０】
尚、図１に示した表示装置１の４つの外枠辺のうち上辺及び左辺を太線Ｓｘ、Ｓｙで示し、表示装置１の向きが変更されたときの各図における表示装置１の向きの目安となるようにした。
【００３１】
そして、表示装置１を基準向きの状態から水平軸Ｘを中心に１８０度回転させて図３の紙面裏面側から表示装置１を見ると（垂直軸Ｙを中心に１８０度回転させた状態と同じ。）、表示装置１は図４に示すような向き（この向きを「上下左右反転向き」という。）となり、上記太線Ｓｘ、Ｓｙが図４において向かって下辺と右辺にそれぞれ位置され、また、上記基準点Ｑは右下部位に移動されている。尚、この向きは、紙面に対して直交する方向の軸（紙面直交軸）Ｚを中心に１８０度回転させた場合と同じである。
【００３２】
このような上下左右反転向きになった表示装置１は上記向き検出手段５により表示装置１が上下左右反転向きになったことが検出されると共に、上記タッチパネル２上の新たな基準点Ｒを決定する。
【００３３】
尚、表示装置１が上下左右反転向きになったことは、上記向き検出手段５により検出され、これに基づきタッチパネル２の座標を決定する基準点（左上部位）が「Ｒ」であることが判断される。
【００３４】
基準点Ｒはタッチパネル２の各操作部位３mnを２次座標位置Ｐxyで特定するための基準となるものであり、後述するように表示装置１の向きが変更された場合にあっても、操作者が表示装置１を正面視した場合に、左上部位に設定されるようになっている。これにより、表示装置１を上下左右反転向きにした場合には、新たな基準点Ｒに触れたときに出力される出力電圧は横（Ｘ）方向出力、縦（Ｙ）方向出力ともに、最小値（Ｘ_Ａ/Ｄ値ｍｉｎ、Ｙ_Ａ/Ｄ値ｍｉｎ）が出力される。
【００３５】
上下左右反転向きになった表示装置１のタッチパネル２で入力された操作部位３mnの座標Ｐ（ｘ、ｙ）は、Ｐx（Ｘ軸方向の座標）＝｜Ｘ_Ａ/Ｄ値−Ｘ_Ａ/Ｄ値ｍｉｎ｜／Ａ/Ｄ値ＸＰy（Ｙ軸方向の座標）＝｜Ｙ_Ａ/Ｄ値−Ｙ_Ａ/Ｄ値ｍｉｎ｜／Ａ/Ｄ値Ｙで求められる。
【００３６】
これにより、表示装置１が上下左右反転向きになってときでも、新たな基準点Ｒに基づきタッチパネル２上の任意の操作部位３mnの座標位置Ｐxyを求めることができる。そして、例えば、上記上下左右反転向きの表示装置１において入力された操作部位３mnが「左下部位Ｐ11」であった場合には、上記テーブル４と照らし合わせて対応する処理（操作）が為され、上記基準向きにおける表示装置１において「左下部位Ｐ11」を入力した場合と同じ処理（操作）が為されることになる。
【００３７】
従って、操作者は、基準向きの表示装置１を正面視した状態で、例えば、「左下部位Ｐ11」を入力する場合と、上下左右反転向きに変更された表示装置１を正面視してその「左下部位Ｐ11」を入力する場合と同じ処理（操作）「Ａ」を行うことができる。
【００３８】
図５乃至図１５は、上記表示装置１をビデオカメラ６の外部表示モニター７に適用したものである。
【００３９】
ビデオカメラ６は、撮影時又は再生時に、被写体の画像又は再生画像を表示するための画像表示系としてＥＶＦ８及び外部表示モニター７とを有する（図５、図７乃至図１０参照）。
【００４０】
ＥＶＦ８及び外部表示モニター７は、大きさは異なるが、共に表示装置として液晶表示装置（ＬＣＤ）等を使用したものである。
【００４１】
また、外部表示モニター７は、ビデオカメラ本体６ａに対して、図８に矢印で示すように、開閉及び回動自在（１８０°表裏反転自在）に支持されている。外部表示モニター７はＬＣＤパネル９と、該ＬＣＤパネル９の画像表示面１０に貼付されたタッチパネル１１とを有し、タッチパネル１１は、画像表示面１０に映し出される画像が見えるように透明に構成されている。
【００４２】
また、ビデオカメラ６は、光学系１２により写し出された映像を電気信号に変換する映像信号処理手段１３と、ＬＣＤパネル９に画像を表示するためのＬＣＤコントローラ１４と、タッチパネル１１の後述する各種操作用表示画像１５、１５、・・・を作り出すためのＯＳＤ（Ｏｎ Ｓｃｒｅｅｎ Ｄｉｓｐｌａｙ）コントローラ１６と、これらコントローラ１４、１６を制御するマイクロコンピュータ（マイコン）１７と外部表示モニター７の向きを検出するモニター向き検出スイッチ１８とを有する（図５参照）。
【００４３】
ＯＳＤコントローラ１６は、タッチパネル１１の操作用表示画像１５、１５、・・・を作成し、電気信号としてＬＳＤコントローラ１４に出力する。尚、ここで、各種操作用表示画像１５、１５、・・・として、「○」１５ａ、「▽」１５ｂ、「△」１５ｃ、「□」１５ｄを表示するようにしたが（図５参照）、他に、例えば、ビデオカメラ６の操作コマンドを表示することも考えられる。
【００４４】
ＬＳＤコントローラ１４は、映像信号処理手段１３から出力された映像信号とＯＳＤコントローラ１６から出力された操作用表示画像１５、１５、・・・の操作表示信号とを混合して外部表示モニター７に出力して画面を表示する（図５参照）。
【００４５】
モニター向き検出スイッチ１８は、ビデオカメラ本体６ａと外部表示モニター７との間のヒンジ部に内蔵されており、外部表示モニター７がビデオカメラ本体６ａに対してどのような向きなっているかを検出し、これをマイコン１７に出力する。具体的には外部表示モニター７のビデオカメラ本体６ａに対する開閉状態及び水平軸を回転軸とする回転の状態を検出し、開放状態で非回転状態を「通常撮影モード」、閉塞状態で１８０度回転状態を「ＶＴＲモード」、開放状態で１８０度回転状態を「ミラーモード」とする。ここで、「通常撮影モード」とは、当該外部表示モニター７をＥＶＦ８の代わりとして主に撮影時に使用する場合（図８参照）、「ＶＴＲモード」とは、当該ビデオカメラ６を記録／再生装置として用い主に既に撮影記録したものを再生して見る場合（図９参照）、「ミラーモード」とは、操作者自らが被写体となりカメラの前方に立って外部表示モニター７を見ながら撮影する場合（図１０参照）である。かかる各モードは、外部表示モニター７のビデオカメラ本体６ａに対する向きによって、上述したモニター向き検出スイッチ１８の検出出力に基づきマイコン１７により判断される（図５参照）。尚、モニター向き検出スイッチ１８については後述する。
【００４６】
そして、外部表示モニター７の向きがビデオカメラ本体６ａに対してどのような向きなっているかを検出すると、マイコン１７はＬＣＤコントローラ１４に対して、表示画面を反転又は回転させるように指令を出力し、これを受けてＬＣＤコントローラ１４はＬＣＤパネル９に表示する画像を、映像信号及び操作表示信号を反転又は回転して表示するようになっている（図５参照）。
【００４７】
モニター向き検出スイッチ１８は、例えば、ビデオカメラ本体６ａに対する外部表示モニター７の開閉を検出する第１のスイッチ２０と外部表示モニター７の水平軸に対する１８０度の回転を検出する第２のスイッチ２１とから成る。
【００４８】
具体的には、図７に示すように外部表示モニター７がビデオカメラ本体６ａに対して閉じられた状態において上記第１のスイッチ２０は「ＯＦＦ」に、また、図８のように外部表示モニター７がビデオカメラ本体６ａに対して開かれると「ＯＮ」になるようになっている。
【００４９】
また、図８の状態においては上記第２のスイッチ２１は「ＯＦＦ」となっており、この状態から外部表示モニター７が水平軸Ｘを中心に１８０度回転（表裏反転）して図９の状態なったときに上記第２のスイッチ２１が「ＯＮ」になるようになっている。
【００５０】
これにより、図１５で示すように、第１のスイッチ２０が「ＯＮ」で第２のスイッチ２１が「ＯＦＦ」の状態で通常撮影モードであることが検出され、第１のスイッチ２０が「ＯＮ」で第２のスイッチが「ＯＮ」の状態でミラーモードであることが検出され、更に、第１のスイッチが「ＯＦＦ」で第２のスイッチ２１が「ＯＮ」の状態でＶＴＲモードであることが検出される。尚、モードを検出するためには上述のようなモニター向き検出スイッチ１８に限らず、外部表示モニター７の動きを加速度センサ等により検出するようにしても良い。
【００５１】
図６は、各モードにおいてタッチパネル１１の操作部位をタッチパネル１１における座標位置に変換し、該座標位置に対応した所定の処理を行なうための流れを示したフローチャート図である。
【００５２】
即ち、ステップ１では、タッチパネル１１に入力があったか否かを検出する。入力がない場合には、所定の操作（処理）は行われず、入力があったときはステップ２に進む。
【００５３】
ステップ２では「通常撮影モードか？」を判断する。通常撮影モードである場合には、ステップ３に進む。
【００５４】
ステップ２で「通常撮影モードでない」と判断された場合はステップ４に進み「ＶＴＲモードか？」の判断が為される。その結果「ＶＴＲモード」の場合はステップ５に、「ＶＴＲモードでない」と判断された場合はステップ６に進む。
【００５５】
尚、ステップ２及びステップ４の判断は、例えば、上記モニター向き検出スイッチ１８により上述したとおり判断される。
【００５６】
ステップ２で判断された通常撮影モードは、外部表示モニター７をビデオカメラ６のＥＶＦ８の代わりとして撮影するものであり、ビデオカメラ本体６ａに対して外部表示モニター７を図７の状態から図８に示すような状態（垂直軸Ｙを中心に９０度回動させた状態）に開き、外部表示モニター７に映し出される被写体の画像を見ながら撮影を行うものである。かかる通常撮影モードにおける外部表示モニター７の向きでこれを正面視した状態を「基準向き」として、以下に説明する（図８参照）。
【００５７】
通常撮影モードにおける外部表示モニター７には、上記映像信号処理手段１３により出力された映像信号とＯＳＤコントローラ１６により作成された操作用表示信号とを混合した混合画像が、その撮影された向き、作成された向きでそれぞれ表示される。そして、その操作用表示画像１５、１５、・・・は、図１１において、左側から、「○」１５ａ、「▽」１５ｂ、「△」１５ｃ、「□」１５ｄの順に表示されており、これら操作用表示画像１５ａ、１５ｂ、１５ｃ、１５ｄに対応するタッチパネル１１上の各操作部位１９mn（１９41、１９31、１９21、１９11）を各別に触れると、各操作用表示画像１５ａ、１５ｂ、１５ｃ、１５ｄに対応した内容の動作が行われるようになっている。尚、操作部位の符号「１９」についての添字「mn」はタッチパネル１１の出力電圧の高低に対応させて付記したもので、例えば、外部表示モニター７が基準向きの状態で左上部位を「44」と表示する（図１１参照）。
【００５８】
即ち、所定の操作用表示画像１５に対応するタッチパネル１１上の操作部位１９mnに触れると（入力すると）、タッチ（入力）されたタッチパネル１１上の操作部位１９mnにおけるタッチパネル１１上の２次座標上の位置Ｐxyが上述した実施の形態で説明したものと同様に検出され、該座標位置Ｐxyとそれに対応した所定の処理（動作）とが対応するように割り当てられたテーブル４に照らし合わせて、上記タッチされた操作部位１９mnに対応した処理（操作）が実行される。尚、座標位置の符号「Ｐ」についての添字「xy」は正面視した状態の表示装置の絶対的な２次座標に対応させて付記したもので、例えば、左下部位は「11」と表示する。
【００５９】
具体的には、テーブル４には、タッチパネル１１を正面視した状態における２次座標上の座標位置Ｐ11、Ｐ12、Ｐ13、Ｐ14と所定の処理内容（Ａ、Ｂ、Ｃ、Ｄ）とが対応されており、正面視したタッチパネル１１の左下部位Ｐ11をタッチすると「Ａ」処理（動作）が為され、左下部位Ｐ11の右隣りの部位Ｐ12をタッチすると「Ｂ」処理（動作）が為され、更に右隣りの部位Ｐ13をタッチすると「Ｃ」処理（動作）が為され、右下部位Ｐ14をタッチすると「Ｄ」処理（動作）が為されるようになっている。
【００６０】
従って、例えば、「○」１５ａが表示された部位はタッチパネル１１の操作部位１９41が対応されていて、該操作部位１９41に触れると絶対的な２次座標位置Ｐ11が求められ、上記テーブル４に基づき「Ａ」動作が実行されるようになっている。
【００６１】
このように、２次座標位置Ｐ11、Ｐ12、Ｐ13、Ｐ14とそれぞれ上記操作用表示画像１５ａ、１５ｂ、１５ｃ、１５ｄとが対応されているため、操作者はその操作用表示画像１５、１５、・・・に基づき、これらに対応した処理（動作）を視覚的にも容易に把握することができる。
【００６２】
ステップ４で判断されたＶＴＲモードは、当該ビデオカメラを記録／再生装置として用い既に撮影記録したものを再生して見るものであり、この場合、外部表示モニター７をビデオカメラ本体６ａにその画面が表側になるようにして閉じた状態であり、外部表示モニター７を上記通常撮影モードの状態から、水平軸Ｘを中心に１８０度回動させ、更にビデオカメラ本体６ａに対して閉じた状態であり、外部表示モニター７としては、上下左右が反転した状態である（図９参照）。
【００６３】
このような状態の外部表示モニター７に表示する画像は、正面視して上記通常撮影モードと変わらないので、映像画像及び操作用表示画像についても上下左右を反転させる必要がある。
【００６４】
そのため、モニター向き検出スイッチ１８により外部表示モニター７が上下左右反転された状態を検出し、これをマイコン１７に出力し、マイコン１７はＬＣＤコントローラ１４に対して上記混合画像信号を上下左右を反転して表示するように指令が出力され、これにより、外部表示モニター７には向きが変更された外部表示モニター７を正面視したときでも上記通常撮影モードで表示した画像と同じ画像が表示される。図１２は、映像画像及び操作用表示画像について上下左右を反転させた状態の画像を示す。
【００６５】
即ち、上下左右を反転させた外部表示モニター７についても、その左側から、「○」１５ａ、「▽」１５ｂ、「△」１５ｃ、「□」１５ｄの順に表示されている（図１２参照）。
【００６６】
ただし、かかるＶＴＲモードにあっては、タッチパネル１１についても上下左右反転した状態であり、よって、その操作部位１９mnは上下左右反転された状態となっているおり、上記基準向きにおけるタッチパネル１１についての操作部位１９41、１９31、１９21、１９11は、上下左右反転向きにおいては、操作部位１９41が右上部位、操作部位１９31がその左隣り、操作部位１９21が更にその左隣り、操作部位１９11が左上部位となっている（図１２参照）。
【００６７】
そのため、上記「○」１５ａに対応ものは操作部位１９14となっている（図１２参照）。
【００６８】
そこで、操作部位１９mnについての座標位置Ｐxyを上述した実施の形態で説明したとおり、基準点の置換を行いこれに基づき各操作部位１９mnの座標位置Ｐxyを算出し、座標位置Ｐ11、Ｐ12、Ｐ13、Ｐ14に対応したものは操作部位１９14、１９24、１９34、１９44であることが求められる。
【００６９】
具体的には、例えば、「○」１５ａに対応したタッチパネル１１の操作部位１９14にタッチするとその出力信号に基づき、座標位置Ｐ11が算出され、上記テーブル４に基づき「Ａ」動作が実行されるようになっている。
【００７０】
このように、かかるＶＴＲモードにおいても、２次座標位置Ｐ11、Ｐ12、Ｐ13、Ｐ14とそれぞれ上記操作用表示画像１５ａ、１５ｂ、１５ｃ、１５ｄとが対応されているため、操作者はその操作用表示画像１５、１５、・・・に基づき、これらに対応した処理（動作）を視覚的にも容易に把握することができる。
【００７１】
ステップ４でＶＴＲモードと判断されなかった場合は、ミラーモードと判断され、該ミラーモードは操作者自らが被写体となりビデオカメラ６の前方に立って外部表示モニター７を見ながら撮影するものであり、この場合、外部表示モニター７を上記通常撮影モードの状態から、水平軸Ｘを中心に１８０度回動させた状態で、外部表示モニター７としては、上下左右が反転された状態である（図１０参照）。
【００７２】
そして、ミラーモードにあっては、その映像画像を恰も鏡を見ているかのように表示するため、既に外部表示モニター７が上下左右を反転した状態になっているので、映像画像については上下のみを反転したものを表示する必要がある。
【００７３】
そこで、向き検出スイッチ１８のミラーモードであることを検出した出力信号に基づき、マイコン１７はＬＣＤコントローラ１４に対して混合表示画像を上下のみを反転するように指令を出力する。
【００７４】
ところが、ＬＣＤコントローラ１４は映像信号と操作用表示信号とを混合した混合表示画像を制御するものであるため、混合表示画像の上下のみを反転して表示させると、上記操作用表示画像１５ａ、１５ｂ、１５ｃ、１５ｄも左右逆になっており、基準向きにおいて操作用表示画像１５、１５、・・・の左下に表示されるもの「○」１５ａが右下に表示されることになる。
【００７５】
かかる状態で、操作者が右下に表示された「○」１５ａの表示に基づき、これにタッチして「Ａ」処理（操作）を行おうとすると、該「○」１５ａが表示された位置はタッチパネル１１にとっては、操作部位１９44であり、この位置の入力はタッチパネル１１の座標位置Ｐ14となっており、上記テーブル４によるとその処理（動作）は「Ｄ」処理（動作）が為されることになってしまう。
【００７６】
そこで、基準点を（Ｘ_Ａ/Ｄ値ｍａｘ、Ｙ_Ａ/Ｄ値ｍｉｎ）に設定し直して、入力された操作部位１９mnの座標Ｐ（ｘ、ｙ）をＰx（Ｘ軸方向の座標）＝｜Ｘ_Ａ/Ｄ値−Ｘ_Ａ/Ｄ値ｍａｘ｜／Ａ/Ｄ値ＸＰy（Ｙ軸方向の座標）＝｜Ｙ_Ａ/Ｄ値−Ｙ_Ａ/Ｄ値ｍｉｎ｜／Ａ/Ｄ値Ｙにより求める。
【００７７】
これにより、画面の右下に表示された「○」１５ａを入力すると、操作部位１９14が入力されたことになり、その表示されたものに対応する「Ａ」処理（操作）が実行されることになる（図１３参照）。
【００７８】
また、外部表示モニター７の向きが上記ミラーモードの状態と同じであっても、ビデオカメラ本体６ａの再生釦を操作した場合には、外部表示モニター７の画像を見た目通常の状態、即ち、ミラーモードのように鏡に映した画像でない状態の画像を表示するようにすると良い。この場合、再生釦が操作されたことを検出してマイコン１７により混合表示画像をＶＴＲモードと同じものを出力するように指令するようにすれば、容易に実現することができる。
【００７９】
さらに、ビデオカメラ本体６ａに別のスイッチ、例えば、ファンクションキーを設けておきこれを操作したときにメニュー表示等の操作用表示画像を表示させる場合には、外部表示モニター７の向きが上記ミラーモードの状態と同じであってもその映像画像だけは見た目通常の状態、即ち、ミラーモードのように鏡に映した画像でない状態の画像を表示するようにすると良い。かかる場合も、上記再生釦が操作された場合と同じく、マイコン１７により混合表示画像をＶＴＲモードと同じものを出力するように指令するようにすれば、容易に実現することができる。
【００８０】
尚、上記ミラーモードにおいては、外部表示モニター７に表示された操作用表示画像（文字や記号）１５、１５、・・・は左右が逆になったいわゆる鏡文字状態である。そのため、文字やその記号の向きに意味があるものである場合には操作者の誤解や誤操作を招来することが懸念される。そこで、ＯＳＤコントロール１６に予め鏡文字状態の文字や記号を記憶させておいて、上記モニター向き検出スイッチ１８によりミラーモードであることが検出されたときにその検出信号に基づき、マイコン１７はＬＣＤコントローラ１４に対して混合表示画像を上下のみ反転するように指令を出力するとともに、ＯＳＤコントローラ１６にも鏡文字状態の文字や記号を出力するように指令をするようにすると良い。
【００８１】
更に、かかるミラーモードで表示された操作用表示画像（文字や記号）１５、１５、・・・は各文字や各記号の配列順も左右逆になっている。そのため、各文字や各記号の配列順に意味があるものである場合には操作者の誤解や誤操作を招来することが懸念される。そこで、ＯＳＤコントロール１６に予め鏡文字状態の文字や記号を記憶させておいて、その表示出力の順序も逆から行うことにより容易に正しい順序で表示することができる。即ち、マイコン１７はＬＣＤコントローラ１４に対して混合表示画像を上下にのみ反転するように指令を出力するとともに、ＯＳＤコントローラ１６にも鏡文字状態の文字や記号を出力してその出力順序を逆になるように指令する。これにより、外部表示モニター７には、映像画像のみが左右反転され、操作用表示画像１５、１５、・・・はそれぞれの向きが正規で横方向の順番（画面の左下が「○」、右下が「□」となる。）も通常撮影モードと同じに表示することができる（図１４参照）。
【００８２】
そして、この場合、基準点を上記ＶＴＲモードと同じようにしておけば、画面の左下の「○」１５ａを入力すると、操作部位１９14が入力されたことになり、その表示されたものに対応する「Ａ」処理（操作）を実行することができる（図１４参照）。
【００８３】
尚、上記の実施例においては、モニター向き検出スイッチ１８により各モード（通常撮影モード、ＶＴＲモード、ミラーモード）を設定した場合における画面表示（映像画像と操作用表示画像１５）と接触位置検出手段（タッチパネル１１）との関係について説明したが、ビデオカメラ本体６ａに別のモード切換スイッチを設けて各モードを設定するようにしても良い。例えば、外部表示モニター７を上記ＶＴＲモード（図９参照）と同じ向きの状態で、ビデオカメラ本体６ａ側のモード切換スイッチによりミラーモードを指示できるようにしておけば、上記モニター向き検出スイッチ１８の検出結果に関わらず、上述したミラーモードと同じ映像画像及び操作用表示画像１５、１５、・・・を表示させ、また、操作用表示画像１５、１５、・・・に対応した所定の処理（操作）を行なうようにすることができる。
【００８４】
また、以上においては、本発明をビデオカメラに適用したものを示したが、例えば、ＥＶＦと外部モニタとを有する電子スチルカメラに適用することも可能である。
【００８５】
また、以上においては、表示装置を画面に対して直交する軸Ｚを中心として１８０度回転させたモードについて説明したが、本発明はこれに限らずＺ軸を中心に９０度回転させた状態、即ち、横長の表示装置を縦長においた場合にも適用することができ、例えば、平面画像表示装置を向きを変更して使用する場合などにも適用することができる。
【００８６】
その他、以上において示した各部の具体的な形状及び構造は、何れも本発明を実施するに当たっての具体化のほんの一例を示したものに過ぎず、これらによって本発明の技術的範囲が限定的に解釈されることがあってはならないものである。
【図面の簡単な説明】
【００８７】
【図１】図２乃至図４と共に、本発明の実施の形態を示すものであり、本図は、基準向きの表示装置の正面図である。
【図２】テーブルを示す概念図である。
【図３】水平軸Ｘを中心に１８０度回動させた状態の表示装置を裏面側から見た背面図である。
【図４】上下左右反転向きの表示装置の正面図である。
【図５】図６乃至図１５と共に、本発明カメラの実施の一例を示すもので、本図は全体の回路図である。
【図６】フローチャート図である。
【図７】開いていない状態のカメラの斜視図である。
【図８】通常撮影モードの状態を示すカメラの斜視図である。
【図９】ＶＴＲモードの状態を示すカメラの斜視図である。
【図１０】ミラーモードの状態を示すカメラの斜視図である。
【図１１】通常撮影モードの状態における外部表示モニターの正面図である。
【図１２】ＶＴＲモードの状態における外部表示モニターの正面図である。
【図１３】ミラーモードの状態における外部表示モニターの正面図である。
【図１４】ミラーモードの状態でその表示画像のうち操作用表示画像のみを左右入れ替えた状態を示す正面図である。
【図１５】モニター向き検出スイッチと各モードとの関係を示す概念図である。
【符号の説明】
【００８８】
１…表示装置、２…タッチパネル（接触位置検出手段）、３mn…操作部位、４…テーブル（メモリ手段）、Ｐxy…タッチパネルにおける座標位置、Ｒ…基準点、５…向き検出手段、Ｙ軸…垂直軸、Ｘ軸…水平軸、６…カメラ（撮像手段）、７…外部表示モニター、８…ファインダー、１０…画像表示面、１１…タッチパネル（接触位置検出手段）、１７…マイクロコンピュータ（制御手段）、１８…向き検出スイッチ、Ｐxy…タッチパネルにおける座標位置、１９mn…操作部位
【図１】
2007188525.tif 000003
【図２】
2007188525.tif 000004
【図３】
2007188525.tif 000005
【図４】
2007188525.tif 000006
【図５】
2007188525.tif 000007
【図６】
2007188525.tif 000008
【図７】
2007188525.tif 000009
【図８】
2007188525.tif 000010
【図９】
2007188525.tif 000011
【図１０】
2007188525.tif 000012
【図１１】
2007188525.tif 000013
【図１２】
2007188525.tif 000014
【図１３】
2007188525.tif 000015
【図１４】
2007188525.tif 000016
【図１５】
2007188525.tif 000017